【手続補正書】
【提出日】平成18年9月11日(2006.9.11)
【手続補正１】
【補正対象書類名】特許請求の範囲
【補正対象項目名】全文
【補正方法】変更
【補正の内容】
【特許請求の範囲】
【請求項１】
所定の記録媒体に映像を記録する記録装置と、
手ぶれ検出センサ或いは撮像素子の動きベクトルを用いて撮像装置の手ぶれを検出する検出手段と、
前記検出手段で得られた手ぶれ情報から撮像装置の静止状態及び手ぶれ状態を所定の閾値を用いて判別する手ぶれ判別手段と、
前記手ぶれ判別手段で得られた信号から撮像装置の手ぶれによる画像のぶれを補正する補正手段と、を備え、
前記手ぶれ判別手段における閾値を前記記録装置の振動情報に基づいて変化させることを特徴とする手ぶれ補正機能を備えた撮像装置。
【請求項２】
前記記録装置の振動情報は、記録装置の駆動モード或いは記録装置に設けられた振動センサの出力により得られた情報であることを特徴とする請求項１に記載の手ぶれ補正機能を備えた撮像装置。
【請求項３】
前記記録装置の振動情報は、前記記録媒体に蓄積されている情報であることを特徴とする請求項１に記載の手ぶれ補正機能を備えた撮像装置。
【請求項４】
所定の記録媒体に映像を記録する記録装置と、
手ぶれ検出センサ或いは撮像素子の動きベクトルを用いて撮像装置の手ぶれを検出する検出手段と、
前記検出手段で得られた手ぶれ検出信号のノイズ成分を取り除くフィルタ処理手段と、  前記フィルタ処理手段で得られた手ぶれ情報から撮像装置の静止状態及び手ぶれ状態を判別する手ぶれ判別手段と、
前記手ぶれ判別手段で得られた信号から撮像装置の手ぶれによる画像のぶれを補正する補正手段と、を備え、
前記フィルタ処理手段は、前記記録装置の振動情報に基づく特定の周波数帯をカットオフ制御することを特徴とする手ぶれ補正機能を備えた撮像装置。
【請求項５】
前記記録装置の振動情報は、記録装置の駆動モード或いは記録装置に設けられた振動センサの出力により得られた情報であることを特徴とする請求項４に記載の手ぶれ補正機能を備えた撮像装置。
【請求項６】
前記記録装置の振動情報は、前記記録媒体に蓄積されている情報であることを特徴とする請求項４に記載の手ぶれ補正機能を備えた撮像装置。
【請求項７】
所定の記録媒体に映像を記録する記録装置と、
手ぶれ検出センサ或いは撮像素子の動きベクトルを用いて撮像装置の手ぶれを検出する検出手段と、
前記検出手段で得られた手ぶれ情報に記録装置の振動情報を加算する加減算手段と、
前記加減算手段で得られた情報から撮像装置の静止状態及び手ぶれ状態を判別する手ぶれ判別手段と、
前記手ぶれ判別手段で得られた信号から撮像装置の手ぶれによる画像のぶれを補正する補正手段と、を備え、
前記加減算手段は、前記手ぶれ情報に前記記録装置の振動情報の位相を逆位相化した信号を加算するようにしたことを特徴とする手ぶれ補正機能を備えた撮像装置。
【請求項８】
前記記録装置の振動情報は、記録装置の駆動モード或いは記録装置に設けられた振動センサの出力により得られた情報であることを特徴とする請求項７に記載の手ぶれ補正機能を備えた撮像装置。
【請求項９】
前記記録装置の振動情報は、前記記録媒体に蓄積されている情報であることを特徴とする請求項７に記載の手ぶれ補正機能を備えた撮像装置。
【請求項１０】
所定の記録媒体に映像を記録する記録装置と、
手ぶれ検出センサ或いは撮像素子の動きベクトルを用いて撮像装置の手ぶれを検出する検出手段と、
前記検出手段で得られた手ぶれ情報をＯＮ／ＯＦＦするスイッチ手段と、
前記スイッチ手段がＯＮのときに、前記検出手段で得られた手ぶれ情報から撮像装置の静止状態及び手ぶれ状態を判別する手ぶれ判別手段と、
前記手ぶれ判別手段で得られた信号から撮像装置の手ぶれによる画像のぶれを補正する補正手段と、を備え、
前記スイッチ手段は、前記記録装置の振動情報に基づいてＯＮ／ＯＦＦ制御することを特徴とする手ぶれ補正機能を備えた撮像装置。
【請求項１１】
前記記録装置の振動情報は、記録装置の駆動モード或いは記録装置に設けられた振動センサの出力により得られた情報であることを特徴とする請求項１０に記載の手ぶれ補正機能を備えた撮像装置。
【請求項１２】
前記記録装置の振動情報は、前記記録媒体に蓄積されている情報であることを特徴とする請求項１０に記載の手ぶれ補正機能を備えた撮像装置。
【請求項１３】
所定の記録媒体に映像を記録する記録装置と、
手ぶれ検出センサ或いは撮像素子の動きベクトルを用いて撮像装置の手ぶれを検出する検出手段と、
前記検出手段で得られた手ぶれ情報から撮像装置の静止状態及び手ぶれ状態を所定の閾値を用いて判別する手ぶれ判別手段と、
前記手ぶれ判別手段で得られた信号から撮像装置の手ぶれによる画像のぶれを補正する補正手段と、を備え、
前記手ぶれ判別手段における閾値を前記記録装置の振動情報に基づいて変化させることを特徴とする手ぶれ補正方法。
【請求項１４】
前記記録装置の振動情報は、記録装置の駆動モード或いは記録装置に設けられた振動センサの出力により得られた情報であることを特徴とする請求項１３に記載の手ぶれ補正方法。
【請求項１５】
前記記録装置の振動情報は、前記記録媒体に蓄積されている情報であることを特徴とする請求項１３に記載の手ぶれ補正方法。
【手続補正２】
【補正対象書類名】明細書
【補正対象項目名】発明の名称
【補正方法】変更
【補正の内容】
【発明の名称】手ぶれ補正機能を備えた撮像装置及び手ぶれ補正方法
【手続補正３】
【補正対象書類名】明細書
【補正対象項目名】０００１
【補正方法】変更
【補正の内容】
【０００１】
本発明は、手ぶれ補正機能を備えた撮像装置及び手ぶれ補正方法に関するものであり、詳しくは撮像装置に内蔵されている記録装置からの振動を検出して、手ぶれ補正をしないように制御する手ぶれ補正機能を備えた撮像装置及び手ぶれ補正方法に関する。
【手続補正４】
【補正対象書類名】明細書
【補正対象項目名】００１５
【補正方法】変更
【補正の内容】
【００１５】
上記課題を解決するために、本願発明の手ぶれ補正機能を備えた撮像装置及び手ぶれ補正方法は、次に示す構成にすることである。
【手続補正５】
【補正対象書類名】明細書
【補正対象項目名】００１９
【補正方法】変更
【補正の内容】
【００１９】
（１０）手ぶれ補正機能を備えた撮像装置は、所定の記録媒体に映像を記録する記録装置と、手ぶれ検出センサ或いは撮像素子の動きベクトルを用いて撮像装置の手ぶれを検出する検出手段と、前記検出手段で得られた手ぶれ情報をＯＮ／ＯＦＦするスイッチ手段と前記スイッチ手段がＯＮのときに、前記検出手段で得られた手ぶれ情報から撮像装置の静止状態及び手ぶれ状態を判別する手ぶれ判別手段と、前記手ぶれ判別手段で得られた信号から撮像装置の手ぶれによる画像のぶれを補正する補正手段と、を備え、前記スイッチ手段は、前記記録装置の振動情報に基づいてＯＮ／ＯＦＦ制御することである。
（１１）前記記録装置の振動情報は、記録装置の駆動モード或いは記録装置に設けられた振動センサの出力により得られた情報であることを特徴とする（１０）に記載の手ぶれ補正機能を備えた撮像装置。
（１２）前記記録装置の振動情報は、前記記録媒体に蓄積されている情報であることを特徴とする（１０）に記載の手ぶれ補正機能を備えた撮像装置。
（１３）手ぶれ補正方法は、所定の記録媒体に映像を記録する記録装置と、手ぶれ検出センサ或いは撮像素子の動きベクトルを用いて撮像装置の手ぶれを検出する検出手段と、前記検出手段で得られた手ぶれ情報から撮像装置の静止状態及び手ぶれ状態を所定の閾値を用いて判別する手ぶれ判別手段と、前記手ぶれ判別手段で得られた信号から撮像装置の手ぶれによる画像のぶれを補正する補正手段と、を備え、前記手ぶれ判別手段における閾値を前記記録装置の振動情報に基づいて変化させることである。
（１４）前記記録装置の振動情報は、記録装置の駆動モード或いは記録装置に設けられた振動センサの出力により得られた情報であることを特徴とする（１３）に記載の手ぶれ補正方法。
（１５）前記記録装置の振動情報は、前記記録媒体に蓄積されている情報であることを特徴とする（１３）に記載の手ぶれ補正方法。
【手続補正６】
【補正対象書類名】明細書
【補正対象項目名】００２１
【補正方法】変更
【補正の内容】
【００２１】
次に、本願発明に係る手ぶれ補正方法を具現化できる手ぶれ補正機能を備えた撮像装置の実施形態について、図面を参照して、以下説明する。